(57)【要約】【課題】肩掛けをずり落ち難くする。【解決する手段】着用者の首の後方を通って両肩まで延びる布３に襟部５を設け、該襟部５に首の後方から着脱できる様に湾曲し首の前方にて切欠６１を有する保持部材６を具えている。肩掛けを肩に掛け、保持部材６を前方に押し込んで、該保持部材６の切欠６１から首を侵入させて首に保持部材６を嵌める。保持部材６が首に嵌まっているから、上半身を動かしても、肩掛け１が肩の上で左右にずれることは防止される。肩掛け１が肩からずり落ちようとすれば、保持部材６が斜め下向き後方へ引っ張られるが、このとき保持部材６の切欠６１を挟む両端が持ち上がって着用者の顎に引っ掛かって止まり、肩掛け１のずり落ちを防止できる。【選択図】　図１
2004068216.tif 000002
【特許請求の範囲】
【請求項１】
着用者の首の後方を通って両肩を覆う大きさの布（３）に襟部（５）を設け、該襟部に首の後方から着脱できる様に湾曲し首の前方にて切欠（６１）を有する保持部材（６）を具えた襟付き肩掛け。
【請求項２】
襟部（５）は、布（３）に帯状布（５１）を、該袋状帯（５１）の外周縁を縫着して形成され、布（３）と帯状布（５１）との間に形成される収容空間（５２）に保持部材（６）が収容されている請求項１記載の襟付き肩掛け。
【請求項３】
布（３）は帯状に形成され、長手方向に沿う両側縁の一方の側縁の中央部に襟部（５）が形成されている請求項１又は２に記載の襟付き肩掛け。
【請求項４】
布（３）は四角形に形成され、三角形に近い形状に２つ折りし、折り線（３０）の略中央部に接近して襟部（５）が形成されている請求項１又は２に記載の襟付き肩掛け。
【請求項５】
着用者の腕を通す袖（４）（４）を具えている請求項１又は２に記載の襟付き肩掛け。
【請求項６】
保持部材（６）は弾性を有しており、弾性変形させて切欠（６１）を拡げて首へ着脱できる請求項１乃至５の何れかに記載の襟付き肩掛け。
【発明の詳細な説明】
【０００１】
【発明の属する分野】
本発明は、防寒、紫外線遮断等のために首元に掛けて使用する肩掛けに関する。
【０００２】
【従来の技術及び発明が解決しようとする課題】
斯種肩掛けには、マフラー、ショール、スカーフ等がある。
何れも、首に巻いたり、背中から両肩に掛けて胸側に垂らしたりて着用するが、ずり落ち易い問題があった。
【０００３】
本発明は、肩掛け布に、着用者の首に引っ掛かる保持部材を配備することにより、ずり落ち難い肩掛けを提供するものである。
【０００４】
本発明の肩掛けは、着用者の首の後方を通って両肩を覆う大きさの布（３）に襟部（５）を設け、該襟部（５）に首の後方から着脱できる様に湾曲し首の前方にて切欠（６１）を有する保持部材（６）を具えている。
【０００５】
肩掛け（１）を肩に掛け、保持部材（６）を前方に押し込んで、該保持部材（６）の切欠（６１）から首を侵入させて首に保持部材（６）を嵌める。
首元には、肩掛け（１）の襟部（５）が位置して首元のアクセントとなり、従来のマフラー、ショール、スカーフにはないオシャレ感が生まれる。
肩掛け（１）の保持部材（６）周辺部は、布（３）が保持部材（６）の両端側に引き寄せられて首の前側から、首元及び肩を包み隠す様に被さる。
【０００６】
肩掛け（１）が防寒用の場合は、首元を隠す襟部（５）によって防寒の効果が高まり、又、保持部材（６）の存在によって襟部（５）が開くことが防止され、防寒効果を損なわない。
肩掛け（１）が日焼け防止の場合、襟部（５）によって首元まで隠すことができるから日焼け防止効果は大きい。
【０００７】
保持部材（６）が首に嵌まっているから、上半身を動かしても、肩掛け（１）が肩の上で左右にずれることは防止される。
肩掛け（１）が肩からずり落ちようとすれば、保持部材（６）が斜め下向き後方へ引っ張られるが、このとき保持部材（６）の切欠（６１）を挟む両端が持ち上がって着用者の顎に引っ掛かって止まり、肩掛け（１）のずり落ちを防止できる。
肩掛け（１）を外すときは、保持部材（６）を後方へ引っ張って首から外すだけで可い。
【０００８】
【発明の実施の形態】
第１実施例（図１、図２、図３）
図１はマフラー型の肩掛け（１）を着用した状態の正面図、図２は肩掛け（１）の斜面図である。
肩掛け（１）は、着用者の首の後方から両肩を覆って胸に垂れ下がる大きさの長方形の布（３）の長手方向の両側縁の内、一方の側縁の略中央部に襟部（５）を形成し、該襟部（５）に着用者の首に嵌まる保持部材（６）を配備して形成されている。布（３）は、ウール、カシミヤ等、防寒用素材であり、全周に亘って縁かがり縫いが施されている。
【０００９】
襟部（５）は、布（３）の側縁に沿って帯状布（５１）を配置し、帯状布の両側縁及び両端を布（３）に縫着して形成される。
布（３）と帯状布（５１）の間は、袋状の収容空間（５２）となっており、該空間（５２）に保持部材（６）（太鎖線で示す。以下、後記する第２、第３実施例も同じ）が収容される。
【００１０】
保持部材（６）は、細帯体或いは線状体を首の回りに沿う様に丸く湾曲させ、１カ所に切欠（６１）を設けて形成される。
保持部材（６）は、合成樹脂製、金属製、木製の何れでも可いが、軽量で弾性のあるものが望ましい。
実施例の保持部材（６）は、合成樹脂にて形成され良弾性であり、切欠（６１）の開口幅は、首の太さより少し狭い。
保持部材（６）を襟部（５）の前記収容空間（５２）に収容することにより、布（３）が保持部材（６）の湾曲に沿う様に引っ張られて、図２に示す如く、襟部（５）に立体感が生まれる。
【００１１】
実施例では、布（３）の縁から１〜３ｃｍ離れて保持部材（６）が位置する様に、保持部材（６）の収容空間（５２）を設けて、襟部（５）を立ち襟ぎみに形成したが、保持部材（６）が布（３）の縁にもっと接近する様に収容空間（５２）を設けることもできる。
【００１２】
図１に示す如く、肩掛け（１）を首の後から両肩を覆って胸の前に垂らす。
保持部材（６）を弾性変形させながら首の後方から前方に押し込んで、該保持部材（６）の切欠（６１）から首を保持部材（６）内に侵入させ、首に保持部材（６）を嵌める。保持部材（６）は弾性復帰して、襟部（５）が首元を囲む。
保持部材（６）は首元の布（３）上に形成した袋状の収容空間（５２）に収容されており、保持部材（６）の湾曲両端まで布（３）が引き寄せられるため、布（３）は、自然に首の前側から、首元及び肩を包み隠す様に被さり、防寒の効果が高まる。
又、保持部材（６）の存在によって、襟部（５）が左右に開くことが防止され、防寒効果を損なわない。
【００１３】
保持部材（６）が首に嵌まっているから、上半身を動かしても、肩掛け（１）が肩の上で左右にずれることは防止される。
肩掛け（１）が肩からずり落ちようとすれば、保持部材（６）が斜め下向き後方へ引っ張られるが、このとき図６（図６は他の実施例であるが、効果の点で共通するので引用する）に示す如く、保持部材（６）の切欠（６１）を挟む両端が持ち上がって着用者の顎に引っ掛かって止まり、肩掛け（１）の後方へのずり落ちを防止できる。
本実施例では、保持部材（６）の切欠（６１）の開口幅は首の太さより狭く、保持部材（６）を弾性変形させて首に嵌めるため、肩掛け（１）が肩からずり落ちようとすれば、保持部材（６）の切欠（６１）を挟む両端は、首にも引っ掛かるため、肩掛け（１）のずり落ちを一層効果的に防止できる。
肩掛け（１）を外すときは、保持部材（６）を後方へ引っ張って首から外すだけで可い。
【００１４】
上記第１実施例の布（３）を背中まで被さる広幅とすることで、略長方形のショールとすることができる。
【００１５】
第２実施例（図４）
第２実施例は、三角形のショール又はスカーフでの実施例である。
図４Ａに示す如く、正方形に近い四角形の布（３）を、図４Ｂに示す如く、対角で２つ折りし、折り線（３０）の略中央部に、前記実施例１と同様にして帯状布（５１）を用いて保持部材（６）の収容空間（５２）を形成し、該収容空間（５２）に保持部材（６）を収容している。
【００１６】
第３実施例（図５乃至図９）
陽射しの強い屋外で、ノースリーブのドレスやタンクトップ等の露出度の高い衣服の上から、一時的に羽織るための主とし日焼け防止のための肩掛け（１）である。
図５、図６に示す如く、肩掛け（１）は、両肩から背中を覆う大きさの布（３）から両袖（４）を延長し、布（３）の、着用者の首に対応する部分に襟部（５）と保持部材（６）を設けている。
【００１７】
図７、図８に示す如く、肩掛け（１）は、袖（４）（４）を含んで１枚の布から一体に形成される。
布（３）は紫外線遮断の加工が施こされている。
布（３）は、横長で両端が徐々に幅狭となる様に裁断され、布（３）の両端部を筒状に縫着（４１）して、袖（４）が形成される。
布（３）の首に対応する部分に帯状布（５１）を縫着して襟部（５）が形成される。布（３）と帯状布（５１）との間に形成される収容空間（５２）に保持部材（６）が収容される。
【００１８】
図５に示す如く、布（３）を背中側にして両袖（４）（４）に腕を通し、襟部（５）を首まで引き上げる。保持部材（６）を弾性変形させながら首の後方から前方に押し込んで、該保持部材（６）の切欠（６１）から首を保持部材（６）内に侵入させ、首に保持部材（６）を嵌める。
布（３）は肩から垂れ下がって背中を隠す。保持部材（６）は襟部（５）内に収容されており、保持部材（６）の湾曲両端まで布（３）が引き寄せられるため、布（３）の保持部材（６）周辺部は、首の前側から、首元及び肩を包み隠す様に被さる。
この様に着用者の肩、背中、首元は布（３）に隠れ、腕は袖（４）に隠れるから、日焼けや紫外線照射を効果的に防止できる。
保持部材（６）の切欠（６１）によって、首元の前側は開放され、着用者の胸側は布（３）が存在せず大きく開放されるから、ノースリーブやタンクトップの上から肩掛け（１）を着用しても、ノースリーブやタンクトップの涼しさや軽快感が失われることはない。
【００１９】
保持部材（６）が首に嵌まっているから、腕を動かして袖（４）に引っ張り力が作用しても、肩掛け（１）が肩の上で左右にずれることは防止される。又、実施例１で説明した様に、保持部材（６）の両端側まで引き寄せられた布（３）は、肩を包む様に被さるから、後方へのずり落ちも少なく、ずり落ちようとすれば、図６の二点鎖線で示す様に、保持部材（６）が斜め下向き後方へ引っ張られ、このとき保持部材（６）が着用者の顎に引っ掛かって止まり、肩掛け（１）のずり落ちを防止できる。
【００２０】
図９は、実施例３の薄手の肩掛け（１）を携帯する際に、保持部材（６）を利用して小さく簡単に畳んで纏める手順を示している。
図９Ａに示す如く、布（３）の上に両袖（４）（４）を延ばして重ねる。
両袖（４）（４）の先端側から、袖（４）（４）と布（３）を一緒に保持部材（６）側に転がして巻き込み、図９Ｂに示す如く、保持部材（６）の中に収容する。
袖（４）（４）と布（３）を小さく畳んで保持部材（６）内に収納出来、保持部材（６）によって纏まりが拡がることはなく、ハンドバックに入れても嵩張らず、携帯に便利である。
【００２１】
上記の各実施例に於ける肩掛け（１）の着用説明は基本的なものであって、マフラー型の肩掛けは、一端を胸側に垂らし、他端は首に回して背中側に垂らす等の着用スタイルがある。、
又、第３実施例の袖付きの場合、両袖（４）（４）に腕を通さずに、袖（４）を首に巻くスタイル、片方の袖だけに腕を通し、他方の袖を首に巻いて背中へ垂らすスタイル、保持部材（６）をカチューシャ（略Ｕ字形状の髪止めの一種）と同様にして頭に嵌めて、布（３）を頭から背中へ垂らすスタイル等、雰囲気や好みに応じた着用法で着用できる。
【００２２】
上記各肩掛け（１）は、布（３）の材質によって、防寒用、日焼け防止用、オシャレ用、使用目的に自由対応させることができる。。
【００２３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】第１実施例の肩掛けを着用した状態の正面図である。
【図２】第１実施例の斜面図である。
【図３】図２Ａ−Ａ線に沿う断面図である。
【図４】第１実施例の製作手順の説明図である。
【図５】第３実施例の肩掛けを着用した状態の正面図である。
【図６】同上の側面図である。
【図７】第３実施例の斜面図である。
【図８】第３実施例の展開図である。
【図９】第３実施例の肩掛けを小さく纏める手順の説明図である。
【符号の説明】
（１）　　肩掛け
（２）　　布
（５）　　襟部
（４）　　袖
（６）　　保持部材
【図１】
2004068216.tif 000003
【図２】
2004068216.tif 000004
【図３】
2004068216.tif 000005
【図４】
2004068216.tif 000006
【図５】
2004068216.tif 000007
【図６】
2004068216.tif 000008
【図７】
2004068216.tif 000009
【図８】
2004068216.tif 000010
【図９】
2004068216.tif 000011